(57)【要約】【課題】背シート体を枠状部材によって形成される背枠に覆い被せるようにした椅子の背凭れ装置であって、背シート体を簡素な構成とすることにより製造コストを低減させ、かつ背シート体の取り付け作業が容易な椅子の背凭れ装置を提供すること。【解決手段】背シート体１２を下方が開口する袋状に形成し、背枠１０が、その下部を残して背シート体１２により上方から覆われるとともに、背シート体１２の下端縁１２ｂを保持部材３４によって保持させ、その保持部材３４を、背枠１０の下部に設けられた上向きに開口する嵌合部３１に嵌合保持させる。【選択図】図５
2008023195.tif 000002
【特許請求の範囲】
【請求項１】
背シート体を中央が開口する枠状部材によって形成される背枠に覆い被せることで、前記背枠の開口の少なくとも一部を閉塞するようにした椅子の背凭れ装置であって、
前記背シート体を下方が開口する袋状に形成し、前記背枠が、その下部を残して前記背シート体により上方から覆われるとともに、前記背シート体の下端縁を保持部材によって保持させ、該保持部材を、前記背枠の下部に設けられた上向きに開口する嵌合部に嵌合保持させることを特徴とする椅子の背凭れ装置。
【請求項２】
前記保持部材は、前記嵌合部に螺合部材により螺着されることを特徴とする請求項１に記載の椅子の背凭れ装置。
【請求項３】
前記保持部材には、前記背シート体の下端縁を折り返して保持する保持溝が形成されていることを特徴とする請求項１または２に記載の椅子の背凭れ装置。
【請求項４】
前記背シート体の前後に対向する下端縁には、互いに重畳された状態で前記保持溝に保持される板状体が取り付けられることを特徴とする請求項３に記載の椅子の背凭れ装置。
【請求項５】
前記背シート体の上下幅を、前記背枠の上下幅よりも小としたことを特徴とする請求項１ないし４のいずれかに記載の椅子の背凭れ装置。
【発明の詳細な説明】
【技術分野】
【０００１】
本発明は、背シート体を中央が開口する枠状部材によって形成される背枠に覆い被せることで、背枠の開口の少なくとも一部を閉塞するようにした椅子の背凭れ装置に関する。
【背景技術】
【０００２】
従来、弾性変形可能な張り材（背シート体）を張設する椅子の背凭れでは、左右の側杆と、側杆の上端同士を連結する横杆とにより形成される背フレーム（背枠）が設けられるとともに、側杆が摺動可能に嵌合する嵌合孔とスリットが形成された下部フレーム（背枠）が設けられており、張り材の上縁と左右の側縁には、背フレームが連通される筒状部を形成するとともに、張り材の下端部には、下部フレームのスリット内に挿設されて係合部材が連通される筒状止着部を形成することで、張り材を弛みがでないように張設している（例えば、特許文献１参照）。
【０００３】
【特許文献１】特開２００３−１３５２００号公報（第２頁、第３図）
【発明の開示】
【発明が解決しようとする課題】
【０００４】
しかしながら、特許文献１に記載の椅子の背凭れにあっては、背フレーム（背枠）と下部フレーム（背枠）という２つの部材を用いて背凭れのフレームが形成され、かつ張り材（背シート体）には、その上縁と左右の側縁に筒状部を形成するとともに、下端部に筒状止着部を形成しなければならず、張り材の構造が複雑になり製造コストが嵩むばかりか、張り材を背フレームと下部フレームとに取り付ける取付作業も煩雑になってしまうという問題がある。
【０００５】
本発明は、このような問題点に着目してなされたもので、背シート体を枠状部材によって形成される背枠に覆い被せるようにした椅子の背凭れ装置であって、背シート体を簡素な構成とすることにより製造コストを低減させ、かつ背シート体の取り付け作業が容易な椅子の背凭れ装置を提供することを目的とする。
【課題を解決するための手段】
【０００６】
前記課題を解決するために、本発明の請求項１に記載の椅子の背凭れ装置は、
背シート体を中央が開口する枠状部材によって形成される背枠に覆い被せることで、前記背枠の開口の少なくとも一部を閉塞するようにした椅子の背凭れ装置であって、
前記背シート体を下方が開口する袋状に形成し、前記背枠が、その下部を残して前記背シート体により上方から覆われるとともに、前記背シート体の下端縁を保持部材によって保持させ、該保持部材を、前記背枠の下部に設けられた上向きに開口する嵌合部に嵌合保持させることを特徴としている。
この特徴によれば、背シート体を袋状に加工するだけなので、背シート体の製造コストが低減されるとともに、この背シート体を、枠状部材によって形成される背枠に上方から覆うことで、背シート体を背枠の大部分の範囲に容易に張設することができ、かつ背シート体の下端縁を、保持部材を介して嵌合部に嵌合させて背枠に取り付けることができるので、背シート体の取付作業が容易になる。
【０００７】
本発明の請求項２に記載の椅子の背凭れ装置は、請求項１に記載の椅子の背凭れ装置であって、
前記保持部材は、前記嵌合部に螺合部材により螺着されることを特徴としている。
この特徴によれば、保持部材を、嵌合部が形成された背枠の下部に螺着するための螺合部材の締付力を利用して、背シート体を下方に引っ張りながら保持部材を嵌合部に固定できるようになり、背シート体が張設されたときの弛みを防止できる。
【０００８】
本発明の請求項３に記載の椅子の背凭れ装置は、請求項１または２に記載の椅子の背凭れ装置であって、
前記保持部材には、前記背シート体の下端縁を折り返して保持する保持溝が形成されていることを特徴としている。
この特徴によれば、背シート体が保持部材に折り返された状態で保持されるようになり、背シート体に張力を与えることができ、かつ背シート体に着座者の荷重が加わったときに、背シート体の下端縁が保持溝から抜け難くなる。
【０００９】
本発明の請求項４に記載の椅子の背凭れ装置は、請求項３に記載の椅子の背凭れ装置であって、
前記背シート体の前後に対向する下端縁には、互いに重畳された状態で前記保持溝に保持される板状体が取り付けられることを特徴としている。
この特徴によれば、背シート体の下端縁が板状体を介して保持溝に保持されることで、背シート体を保持部材に取り付けるときの取付作業が行いやすく、かつ背シート体の下端縁が保持溝から外れ難くなる。
【００１０】
本発明の請求項５に記載の椅子の背凭れ装置は、請求項１ないし４のいずれかに記載の椅子の背凭れ装置であって、
前記背シート体の上下幅を、前記背枠の上下幅よりも小としたことを特徴としている。
この特徴によれば、保持部材を嵌合部に保持する際に背シート体が引っ張られるような状態になり、背シート体に張力を与えやすい。
【発明を実施するための最良の形態】
【００１１】
本発明に係る椅子の背凭れ装置を実施するための最良の形態を実施例に基づいて以下に説明する。
【実施例】
【００１２】
本発明の実施例を図面に基づいて説明すると、先ず図１は、実施例における椅子を示す斜視図であり、図２は、椅子を後下方から見たときの取付部と背杆を示す斜視図であり、図３は、背凭れを低位置に調整した状態の椅子を示す縦断側面図であり、図４は、背凭れを高位置に調整した状態の椅子を示す縦断側面図であり、図５は、背シート体を背枠に取り付けるときの組立斜視図であり、図６は、背シート体を保持部材に取り付けるときの組立斜視図であり、図７は、保持部材が嵌合部に嵌合保持された状態を示す縦断側面図である。以下、図３、図４及び図７の紙面左側を椅子１の前方側（正面側）として説明する。
【００１３】
図１に示すように、本実施例における椅子１の各部概要について説明すると、脚体２から立設された支柱４上に座体５が取り付けられ、この座体５の後方位置には、背凭れ６が配置されている。この背凭れ６は、背枠１０と背杆１１と背シート体１２とからなり、背杆１１が取付部７に取り付けられることで、背凭れ６が座体５に取り付けられる。尚、背凭れ６は、後述するように前下方と後上方とにかけて移動調整できるようになっている。
【００１４】
図３及び図４に示すように、本実施例の椅子１は、成長期にある子ども用の椅子であり、背凭れ６は、座体５に対して着座者の荷重によって後方に撓むようになっている。また、背凭れ６が座体５に対して移動可能に取り付けられ、この背凭れ６が、前下方と後上方とにかけて摺動して、着座者の体型に合わせて調整できるようになっている。
【００１５】
脚体２は、その上端に支柱４の下部が連結されて、脚体２が支柱４を中心に平面視で放射状に延びている。更に、脚体２の下端には、床面と直交方向に枢着されたキャスタ３が水平方向に回転可能に設けられている。そのため椅子１が床面を自在に移動できるようになっている。また、背凭れ６が取り付けられた座体５は、支柱４の軸方向に対し回動自在に軸支されており、座体５を水平方向に回動させることができる。
【００１６】
また、支柱４は、入れ子式の分割構造に設けられ、その軸方向に伸縮自在となっている。そのため支柱４上に取り付けた座体５は、後述する背凭れ６の摺動による調整とは独立して、支柱４の伸縮により脚体２に対して高さを調整できる。即ち、背凭れ６の摺動と支柱４の伸縮とを夫々行うことにより、子どもの成長に合わせて、座体５の高さや背凭れ６の配置位置を適宜調整できる。
【００１７】
次に、背凭れ６について詳述する。図２に示すように、背凭れ６は、上枠杆１０ａと左右枠杆１０ｂ，１０ｂと下枠杆１０ｃにより構成されて中央に開口Ｋを有する背枠１０と、背枠１０の開口Ｋを塞ぐ背シート体１２と（図１参照）、下枠杆１０ｃの左右方向の略中央部から前下方に延設されているとともに、座体５の取付部７に取り付けされる左右一対の背杆１１と、からなる。
【００１８】
また、図３及び図４に示すように、背枠１０は、左右枠杆１０ｂ，１０ｂの上下方向の略中央部を、側面視前向き凸のく字状の屈曲部１０ｄを有し、屈曲部１０ｄより上方が後方に撓むようにしている。背杆１１は、背枠１０と一体的に可撓性材料としてのプラスチックにより成型されるとともに、下枠杆１０ｃの略前面（前下方）から延設されている。
【００１９】
背枠１０は、左右枠杆１０ｂにおける前後方向の厚みが、下枠杆１０ｃから上枠杆１０ａに近づくに従って小さくなっている。すなわち下枠杆１０ｃ及び左右枠杆１０ｂにおける下枠杆１０ｃの近傍の前後方向の厚みが、上枠杆１０ａ及び左右枠杆１０ｂにおける上枠杆１０ａの近傍の前後方向の厚みと比べて大きくなっており、主に屈曲部１０ｄを境に、左右枠杆１０ｂにおける撓み剛性が、下枠杆１０ｃに近づくにつれて強く、かつ上枠杆１０ａに近づくにつれて弱くなる構成となっている。そのため着座者が背凭れ６に荷重をかけた際に、上枠杆１０ａ及び左右枠杆１０ｂの上部が撓みやすくなっており、背凭れ６のクッション性を高められるばかりか、下枠杆１０ｃ及び左右枠杆１０ｂの下部が撓み難くなっており、特に、背凭れ６に加わる荷重が集中する下枠杆１０ｃにおける背杆１１が延設された部位を強固に形成できる。
【００２０】
背杆１１について説明すると、背杆１１は、背枠１０の下枠杆１０ｃから前下方に向けて傾斜した傾斜部１１ａと、この傾斜部１１ａに連続して延設されるとともに傾斜部１１ａより緩やかで、かつ床面に対し特定角度（４５度未満）として略２４度にて傾斜した延設部１１ｂと、を備えている。この背凭れ６は、特定角度に沿って延設部１１ｂが、その延設方向に摺動することで、前下方と後上方とにかけて調整可能となっている。
【００２１】
次に、取付部７における背杆１１の取付構造について、図３における部分拡大図を参照して説明する。左右一対をなす背杆１０の延設部１１ｂには、延設部１１ｂ同士が互いに対向する対向面に、延設部１１ｂの長手方向に沿って突設された嵌合突条１５が形成されている。
【００２２】
また、嵌合突条１５の上面には、嵌合突条１５の長手方向に沿って並べられる複数の溝状の係合凹部１６が形成されている。尚、溝状の係合凹部１６は、互いに平行をなすように配置され、嵌合突条１５を側方から見たときに、複数の係合凹部１６が緩やかな曲線によって波打つように形成されている。
【００２３】
一方、取付部７は、座体５の下面側に固着された取付基部２０と、座体５の下面側と取付基部２０との間に配置される係合部材２１と、この係合部材２１を上下動させる操作部材２２と、からなる。取付基部２０は略箱体状をなし、左右一対の延設部１１ｂの左右幅に納まる寸法に形成されている。また、取付基部２０の左右両側には、延設部１１ｂの嵌合突条１５が嵌合される被嵌合部２３が形成されている（図２参照）。
【００２４】
操作部材２２は、係合部材２１の雌ネジ孔に螺合される雄ネジ部２８を有し、雄ネジ部２８の下端に操作摘み２９が設けられている。操作摘み２９を回動操作することにより、係合部材２１を取付基部２０内で上下動させることができる。この操作摘み２９は座体５の下方側に突出するように設けられている（図２参照）。
【００２５】
調整者が背凭れ６を調整する際には、操作摘み２９を回動操作して係合部材２１を上方に移動させる。係合部材２１が上方に移動されると、係合凸部２６が係合凹部１６から外れるので、嵌合突条１５は被嵌合部２３内を摺動することができる。この状態で調整者が背凭れ６を掴んで前下方と後上方との間を移動させ、椅子１の着座者の体型に合わせた位置に背凭れ６を配置することができる。
【００２６】
背凭れ６を固定する際には、操作摘み２９を回動操作して係合部材２１を下方に移動させる。係合部材２１が下方に移動されると、係合凸部２６が係合凹部１６に係合されので、嵌合突条１５は被嵌合部２３内を摺動不能な状態に安定して固定される。
【００２７】
次に、背枠１０に対する背シート体１２の取付構造について、図５、図６及び図７を参照して説明する。背シート体１２はメッシュ状の生地が袋状に形成されるとともに、本実施例における枠状部材としての環状をなす背枠１０の形状とほぼ補形をなしている。
【００２８】
図５に示すように、背シート体１２の下方は開口されるとともに、背シート体１２の下部には、下方に行くに従って左右方向の幅が狭くなる張り片１２ａが形成されており、この前後の張り片１２ａの下端縁１２ｂは、下枠杆１０ｃよりも幅狭になっている。更に、板状体３０が下端縁１２ｂに沿って縫い付けられている。
【００２９】
また、下枠杆１０ｃには、その一部が前上方に開口する凹状に切り欠かれて本実施例における嵌合部としての嵌合保持部３１が形成されている。この嵌合保持部３１の奥底部３１ａには、本実施例における螺合部材としてのボルト３２が、下枠杆１０ｃの下方側から挿入できる貫通孔３３が形成されている。尚、貫通孔３３は下枠杆１０ｃと背杆１１とが連結された部位に近接して形成されている。
【００３０】
また、背シート体１２には、前上方から下枠杆１０ｃの嵌合保持部３１内に嵌合される保持部材３４が取り付けられている。図６及び図７に示すように、この保持部材３４は、その下端部３４ａが嵌合保持部３１の奥底部３１ａと互いに補形をなす形状になっている。更に、保持部材３４の下端部３４ａには孔部３５が形成されている。尚、保持部材３４には、その側面から凹むように形成され、雌ネジ部材としてのナット３６が挿設されるナット挿設部３７が形成されており、前記孔部３５はナット挿設部３７まで貫通されている。
【００３１】
図７に示すように、保持部材３４の後面側には、保持部材３４の長手方向に延びる保持溝３８が形成されている。この保持溝３８は保持部材３４内で後下方から前上方に向かって形成されており、前述した背シート体１２における板状体３０が取り付けられた前後の下端縁１２ｂを重畳させた状態で挟持することができる。尚、保持部材３４には、保持溝３８が形成されることによって側面視で鍵状に屈曲された屈曲片３９が形成されている。
【００３２】
次に、背シート体１２の張設の仕方について説明する。先ず図５に示すように、背枠１０の上方から背シート体１２を覆い被せる。尚、背シート体１２が背枠１０に被せられると、背枠１０の開口Ｋの大部分が閉塞されるようになる。
【００３３】
そして、背シート体１２の張り片１２ａの下端縁１２ｂを板状体３０とともに、保持部材３４の保持溝３８に挟持させる（図６参照）。尚、保持部材３４に張り片１２ａの下端縁１２ｂを保持させると、張り片１２ａが保持部材３４の屈曲片３９に後方側から巻き込まれるように折り返されるようになる。
【００３４】
更に、図７に示すように、背シート体１２の下端縁１２ｂを保持部材３４に保持させた状態で、下枠杆１０ｃの嵌合保持部３１に保持部材３４を嵌合させる。保持部材３４のナット挿設部３７内には、孔部３５に対応する位置にナット３６が配置されており、下枠杆１０ｃの下方から貫通孔３３に挿入されたボルト３２の先端を、保持部材３４内のナット３６に螺合させる。
【００３５】
尚、背シート体１２の上下方向の幅寸法は、背枠１０の上下方向の幅寸法よりも小さくなっており、ボルト３２を締め付けると、その締付力によって保持部材３４が下方に引っ張られるようになり、背シート体１２はボルト３２の締付力によって張力が与えられた状態で背枠１０に張設される。
【００３６】
以上、本実施例における椅子１の背凭れ６では、背シート体１２を下方が開口する袋状に形成し、背枠１０が、その下部を残してシート体１２により上方から覆われるとともに、背シート体１２の下端縁１２ｂを保持部材３４によって保持させ、この保持部材３４を、背枠１２の下部に設けられた上向きに開口する嵌合保持部３１に嵌合保持させるようになっている。そのため、背シート体１２を袋状に加工するだけなので、背シート体１２の製造コストが低減されるとともに、この背シート体１２を、背枠１０に上方から覆うことで、背シート体１２を背枠１０の大部分の範囲に容易に張設することができ、かつ背シート体１２の下端縁１２ｂを、保持部材３４を介して嵌合保持部３１に嵌合させて背枠１０に取り付けることができるので、背シート体１２の取付作業が容易になる。
【００３７】
また、保持部材３４は、嵌合保持部３１にボルト３２により螺着されることで、保持部材３４を、嵌合保持部３１が形成された背枠１０の下部に螺着するためのボルト３２の締付力を利用して、背シート体１２を下方に引っ張りながら保持部材３４を嵌合保持部３１に固定できるようになり、背シート体１２が張設されたときの弛みを防止できる。
【００３８】
また、保持部材３４には、背シート体１２の下端縁１２ｂを折り返して保持する保持溝３８が形成されている。そのため、背シート体１２が保持部材３４に折り返された状態で保持されるようになり、背シート体１２に張力を与えることができ、かつ背シート体１２に着座者の荷重が加わったときに、背シート体１２の下端縁１２ｂが保持溝３８から抜け難くなる。
【００３９】
また、背シート体１２の前後に対向する下端縁１２ｂには、互いに重畳された状態で保持溝３８に保持される板状体３０が取り付けられている。そのため、背シート体１２の下端縁１２ｂが板状体３０を介して保持溝３８に保持されることで、背シート体１２を保持部材３４に取り付けるときの取付作業が行いやすく、かつ背シート体１２の下端縁１２ｂが保持溝３８から外れ難くなる。
【００４０】
また、背シート体１２の上下幅を、前背枠１０の上下幅よりも小としたことで、保持部材３４を嵌合保持部３１に保持する際に背シート体１２が引っ張られるような状態になり、背シート体１２に張力を与えやすい。
【００４１】
尚、ボルト３２が挿入される貫通孔３３が、下枠杆１０ｃと背杆１１とが連結された部位に近接して形成されているため、保持部材３４が左右の背杆１１同士を連結させる補強部材として構成されるようになり、左右一対の背杆１１同士が、下枠杆１０ｃ及び保持部材３４を介して連結されて強度が向上するようになっている。
【００４２】
尚、背シート体１２は袋状であるため、背シート体１２が背枠１０に張設されたときに、背枠１１の開口Ｋが、二重のメッシュ生地によって閉塞されるようになり、強度の弱いメッシュ生地や安価なメッシュ生地を使用しても、背シート体１２の強度を維持できるようになっている。
【００４３】
尚、嵌合保持部３１が、前上方に開口するように下枠杆１０ｃに形成され、かつ背シート体１２の張り片１２ａが保持部材３４の屈曲片３９に後方から巻き込まれるように折り返されているため、椅子１を後面から見たときに、保持部材３４と下枠杆１０ｃとの境目などが、背シート体１２によって隠蔽され、椅子１の見栄えが向上される。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、本発明の椅子における背凭れの取付構造が、成長期にある子ども用の椅子１に適用されているが、背凭れ６を構成する背枠１０に袋状の背シート体１２が取り付けられるものであれば、事務用など一般の成人が使用する椅子に適用してもよい。
【図面の簡単な説明】
【００４６】
【図１】実施例における椅子を示す斜視図である。
【図２】椅子を後下方から見たときの取付部と背杆を示す斜視図である。
【図３】背凭れを低位置に調整した状態の椅子を示す縦断側面図である。
【図４】背凭れを高位置に調整した状態の椅子を示す縦断側面図である。
【図５】背シート体を背枠に取り付けるときの組立斜視図である。
【図６】背シート体を保持部材に取り付けるときの組立斜視図である。
【図７】保持部材が嵌合部に嵌合保持された状態を示す縦断側面図である。
【符号の説明】
【００４７】
１                椅子
５                座体
６                背凭れ
７                取付部
１０              背枠（枠状部材）
１０ａ            上枠杆（枠状部材）
１０ｂ            左右枠杆（枠状部材）
１０ｃ            下枠杆（枠状部材）
１０ｄ            屈曲部
１１              背杆
１１ａ            傾斜部
１１ｂ            延設部
１２              背シート体
１２ａ            張り片
１２ｂ            下端縁
３０              板状体
３１              嵌合保持部（嵌合部）
３２              ボルト（螺合部材）
３３              貫通孔
３４              保持部材
３６              ナット
３７              ナット挿設部
３８              保持溝
【図１】
2008023195.tif 000003
【図２】
2008023195.tif 000004
【図３】
2008023195.tif 000005
【図４】
2008023195.tif 000006
【図５】
2008023195.tif 000007
【図６】
2008023195.tif 000008
【図７】
2008023195.tif 000009